(57)【要約】【課題】本発明は、静電容量式タッチスイッチ装置と、それを用いた電子機器と、この電子機器を搭載した自動車に関するもので、感度の安定化を図ることを目的とするものである。【解決手段】操作パネル８と、この操作パネル８の裏面側に貼付したシート状の静電容量式タッチスイッチ９とを備え、前記静電容量式タッチスイッチ９は、検知電極１１と、この検知電極１１の外周方向に、所定間隔を介して配置したグランド電極１２とを有し、前記操作パネル８の裏面側において、前記静電容量式タッチスイッチ９の検知電極１１が対向する部分には、複数の凹凸を有する粗面１３が形成され、この粗面１３の外周で、前記静電容量式タッチスイッチ９の検知電極１１とグランド電極１２間部分が対向する部分には、この操作パネル８の裏面側から、この操作パネル８の表面側へと窪んだ溝１４を形成した。【選択図】図２
2014160542.tif 000002
【特許請求の範囲】
【請求項１】
操作パネルと、この操作パネルの裏面側に貼付したシート状の静電容量式タッチスイッチとを備え、前記静電容量式タッチスイッチは、検知電極と、この検知電極の外周方向に、所定間隔を介して配置したグランド電極とを有し、前記操作パネルの裏面側において、前記静電容量式タッチスイッチの検知電極が対向する部分には、複数の凹凸を有する粗面が形成され、この粗面の外周で、前記静電容量式タッチスイッチの検知電極とグランド電極間部分が対向する部分には、この操作パネルの裏面側から、この操作パネルの表面側へと窪んだ溝を形成した静電容量式タッチスイッチ装置。
【請求項２】
前記溝は、操作パネルの裏面側において、この操作パネルの外周部分への到達部を有する請求項１に記載の静電容量式タッチスイッチ装置。
【請求項３】
前記溝は、静電容量式タッチスイッチの検知電極の外周を囲む包囲部と、操作パネルの外周部分への到達部を有する請求項１記載の静電容量式タッチスイッチ装置。
【請求項４】
請求項１から３のいずれか一つに記載の静電容量式タッチスイッチ装置を備える電子機器。
【請求項５】
請求項４に記載の電子機器を、車内に搭載した自動車。
【発明の詳細な説明】
【技術分野】
【０００１】
本発明は、静電容量式タッチスイッチ装置と、それを用いた電子機器と、この電子機器を搭載した自動車に関するものである。
【背景技術】
【０００２】
各種電子機器に設置される静電容量式タッチスイッチ装置は、操作パネルと、この操作パネルの裏面側に貼付したシート状の静電容量式タッチスイッチとを備え、前記静電容量式タッチスイッチは、検知電極と、この検知電極の外周方向に、所定間隔を介して配置したグランド電極とを有する構成となっていた。
【０００３】
また、貼付する際の部分的な空気層ができないようにするために、操作パネルに対応するカバーの裏面側に導光体と、静電容量を検知するための電極とバックライト光源とが実装された基板とを、それぞれシート状の粘着層で貼付し、前記基板には、空気を抜くための貫通孔を設ける技術が提案されている（例えば特許文献１参照）。
【先行技術文献】
【特許文献】
【０００４】
【特許文献１】特開２０１２−１９８９３７号公報
【発明の概要】
【発明が解決しようとする課題】
【０００５】
上記特許文献１においては、貼付する際に両者間に存在する空気は、貫通孔を介して排出されるので、静電容量式タッチスイッチとしての感度を安定化することができる。
【０００６】
しかしながら、検知電極と、この検知電極の外周方向に、所定間隔を介して配置したグランド電極とを有するシート状の静電容量式タッチスイッチにおいて、この検知電極を設けた基材シートに特許文献１と同様の貫通孔を設けると、貫通孔のある部分の空気は抜けるが、貫通孔のない部分には空気層ができてしまう。その空気層をなくすために貫通孔の数を増やすと、検知電極の面積が小さくなり、感度が低下してしまう。
【０００７】
そこで、本発明は、検知電極と、この検知電極の外周方向に、所定間隔を介して配置したグランド電極とを有するシート状の静電容量式タッチスイッチにおいて、貫通孔を設けることなく感度の安定化を図ること目的とするものである。
【課題を解決するための手段】
【０００８】
そしてこの目的を達成するために本発明の静電容量式タッチスイッチ装置は、操作パネルと、この操作パネルの裏面側に貼付したシート状の静電容量式タッチスイッチとを備え、前記静電容量式タッチスイッチは、検知電極と、この検知電極の外周方向に、所定間隔を介して配置したグランド電極とを有し、前記操作パネルの裏面側において、前記静電容量式タッチスイッチの検知電極が対向する部分には、複数の凹凸を有する粗面が形成され、この粗面の外周で、前記静電容量式タッチスイッチの検知電極とグランド電極間部分が対向する部分には、この操作パネルの裏面側から、この操作パネルの表面側へと窪んだ溝を形成した構成とし、これにより所期の目的を達成するものである。
【発明の効果】
【０００９】
以上のように本発明の静電容量式タッチスイッチ装置は、操作パネルと、この操作パネルの裏面側に貼付したシート状の静電容量式タッチスイッチとを備え、前記静電容量式タッチスイッチは、検知電極と、この検知電極の外周方向に、所定間隔を介して配置したグランド電極とを有し、前記操作パネルの裏面側において、前記静電容量式タッチスイッチの検知電極が対向する部分には、複数の凹凸を有する粗面が形成され、この粗面の外周で、前記静電容量式タッチスイッチの検知電極とグランド電極間部分が対向する部分には、この操作パネルの裏面側から、この操作パネルの表面側へと窪んだ溝を形成した構成としたので、感度の安定化を図ることができる。
【００１０】
すなわち、本発明においては、操作パネルの裏面側に、シート状の静電容量式タッチスイッチが貼付されるので、この貼付時に、操作パネルの裏面側と静電容量式タッチスイッチ間に存在する空気は、粗面の凹部を介して外方に排出され、その後、溝を介して操作パネルの外周部分への到達部から、操作パネル外へと排出される。
【００１１】
このため、操作パネルの裏面側と検知電極間に不用意な空気溜りが無くなり、その結果として、検知電極部分の検出感度が低下することはない。
【００１２】
また、操作パネルの裏面側に、複数の凹凸を有する粗面を設けると、ここに極めて少量の空気が残存することになるが、その空気量が少ないので、検知電極部分の検出感度が、実用上問題となる程度まで低下することはない。
【００１３】
それよりも、この粗面を設けることで、複数設けた検知電極部分の残存空気状態が略一定となるので、各検知電極部分の感度が安定し、動作も安定することになる。
【００１４】
また、本発明においては、操作パネルの裏面側において、静電容量式タッチスイッチの検知電極が対向する部分に粗面を形成しているが、この粗面の外周で、静電容量式タッチスイッチの検知電極とグランド電極間部分が対向する部分に、この操作パネルの裏面側から、この操作パネルの表面側へと窪んだ溝を形成した構成としたので、検知電極が隣接した状態で、あいまいな状態の操作パネルタッチ操作をしても、前記溝部分を境に、静電容量が急激に変化するので、本来操作しようとした検知電極部分ではなく、それに隣接する検知電極部分で誤って検知されることはなく、この点からも動作の安定性が高まるものである。
【図面の簡単な説明】
【００１５】
【図１】本発明の一実施形態にかかる静電容量式タッチスイッチ装置を使用した電子機器を搭載した自動車を示す正面図
【図２】同、電子機器の一部裏面斜視図
【図３】図２の操作パネル８の要部拡大斜視図
【図４】同、電子機器の要部の構成を説明する図
【図５】同、電子機器の要部の構成を説明する図
【図６】同、制御ブロック図
【発明を実施するための形態】
【００１６】
以下、本発明の一実施形態を、添付図面を用いて説明する。
【００１７】
（実施の形態１）
図１において、１は自動車で、その車内２の前方には運転席３と助手席４が設けられている。
【００１８】
また、運転席３の側方には、電子機器５が配置されている。
【００１９】
この電子機器５は、音楽や映像を再生するもので、映像は表示部６に表出され、音はスピーカ７から出力されるようになっている。
【００２０】
また、電子機器５は、表示部６の外周が、音声の増減や再生モードを設定する操作パネル８となっており、この操作パネル８の裏面側には、図２から理解されるように、両面テープ（図示せず）を介して、シート状の静電容量式タッチスイッチ９が、貼付される。
【００２１】
前記静電容量式タッチスイッチ９は、検知電極１１と、この検知電極１１の外周方向に、所定間隔を介して配置したグランド電極１２とを有し、各検知電極１１とグランド電極１２の間で形成された静電容量が、検知電極１１に対向する操作パネル８部分を指で触れることで大きくなり、これによって各種設定、つまり上述した音声の増減や再生モードの設定が行われるようになっている。
【００２２】
また、前記操作パネル８の裏面側において、前記静電容量式タッチスイッチ９の検知電極１１が対向する部分には、図４、図５に示すように、複数の凹凸を有する粗面１３が形成され、この粗面１３の外周で、前記静電容量式タッチスイッチ９の検知電極１１とグランド電極１２間部分が対向する部分には、図２、図３、図４に示すように、この操作パネル８の裏面側から、この操作パネル８の表面側へと窪んだ溝１４を形成している。
【００２３】
なお、溝１４は、図２、図３から理解されるように、静電容量式タッチスイッチ９の検知電極１１の外周を囲む包囲部１５と、操作パネル８の外周部分（この実施形態では表示部６側への外周部分）への到達部１６を有する。
【００２４】
つまり、操作パネル８の裏面側には、図４、図５のごとく、両面テープ（図示せず）を介して、シート状の静電容量式タッチスイッチ９が貼付されるので、この貼付時に、操作パネル８の裏面側と両面テープ（図示せず）間に存在する空気は、粗面１３の凹部を介して外方に排出され、その後、溝１４を介して操作パネル８の外周部分（この実施形態では表示部６側への外周部分）への到達部１６から、操作パネル８外へと排出される。
【００２５】
このため、操作パネル８の裏面側と両面テープ（図示せず）間、つまり検知電極１１の操作パネル８側に不用意な空気溜りが無くなり、その結果として、検知電極１１部分の検出感度が低下することはない。
【００２６】
また、操作パネル８の裏面側において、前記静電容量式タッチスイッチ９の検知電極１１が対向する部分に、図４、図５に示すような、複数の凹凸を有する粗面１３を設けると、ここに極めて少量の空気が残存することになるが、その空気量が少ないので、検知電極１１部分の検出感度が、実用上問題となる程度まで低下することはない。
【００２７】
それよりも、この粗面１３を設けることで、複数設けた検知電極１１部分の残存空気状態が略一定となるので、各検知電極１１部分の感度が安定し、動作も安定することになる。
【００２８】
さらに、本実施形態においては、操作パネル８の裏面側において、静電容量式タッチスイッチ９の検知電極１１が対向する部分に粗面１３を形成しているが、この粗面１３の外周で、静電容量式タッチスイッチ９の検知電極１１とグランド電極１２間部分が対向する部分に、この操作パネル８の裏面側から、この操作パネル８の表面側へと窪んだ溝１４を形成した構成としたので、複数の検知電極１１が隣接したる状態で、あいまいな状態の操作パネルタッチ操作をしても、前記溝１４部分を境に、静電容量が急激に変化するので、本来操作しようとした検知電極１１部分ではなく、それに隣接する検知電極１１部分で誤
って検知されることはなく、この点からも動作の安定性が高まるものである。
【００２９】
なお、図６は制御ブロックを示し、静電容量式タッチスイッチ９は静電容量検出部１０を介して制御部１７に接続され、この制御部１７に表示部６、スピーカ７、再生部１８が接続されている。
【００３０】
つまり、静電容量式タッチスイッチ９に対応する、パネル部分をタッチ操作することで、再生部１８で映像や音声の再生を行わせ、映像は表示部６に、また音声はスピーカ７に出力させるものである。
【産業上の利用可能性】
【００３１】
以上のように本発明の静電容量式タッチスイッチ装置は、操作パネルと、この操作パネルの裏面側に貼付したシート状の静電容量式タッチスイッチとを備え、前記静電容量式タッチスイッチは、検知電極と、この検知電極の外周方向に、所定間隔を介して配置したグランド電極とを有し、前記操作パネルの裏面側において、前記静電容量式タッチスイッチの検知電極が対向する部分には、複数の凹凸を有する粗面が形成され、この粗面の外周で、前記静電容量式タッチスイッチの検知電極とグランド電極間部分が対向する部分には、この操作パネルの裏面側から、この操作パネルの表面側へと窪んだ溝を形成した構成としたので、感度の安定化を図ることができる。
【００３２】
すなわち、本発明においては、操作パネルの裏面側に、シート状の静電容量式タッチスイッチが貼付されるので、この貼付時に、操作パネルの裏面側と静電容量式タッチスイッチ間に存在する空気は、粗面の凹部を介して外方に排出され、その後、溝を介して操作パネルの外周部分への到達部から、操作パネル外へと排出される。
【００３３】
このため、操作パネルの裏面側と検知電極間に不用意な空気溜りが無くなり、その結果として、検知電極部分の検出感度が低下することはない。
【００３４】
また、操作パネルの裏面側に、複数の凹凸を有する粗面を設けると、ここに極めて少量の空気が残存することになるが、その空気量が少ないので、検知電極部分の検出感度が、実用上問題となる程度まで低下することはない。
【００３５】
それよりも、この粗面を設けることで、複数設けた検知電極部分の残存空気状態が略一定となるので、各検知電極部分の感度が安定し、動作も安定することになる。
【００３６】
また、本発明においては、操作パネルの裏面側において、静電容量式タッチスイッチの検知電極が対向する部分に粗面を形成しているが、この粗面の外周で、静電容量式タッチスイッチの検知電極とグランド電極間部分が対向する部分に、この操作パネルの裏面側から、この操作パネルの表面側へと窪んだ溝を形成した構成としたので、検知電極が隣接した状態で、あいまいな状態の操作パネルタッチ操作をしても、前記溝部分を境に、静電容量が急激に変化するので、本来操作しようとした検知電極部分ではなく、それに隣接する検知電極部分で誤って検知されることはなく、この点からも動作の安定性が高まるものである。
【００３７】
このため、各種電子機器に活用されるものとなる。
【符号の説明】
【００３８】
１  自動車
２  車内
３  運転席
４  助手席
５  電子機器
６  表示部
７  スピーカ
８  操作パネル
９  静電容量式タッチスイッチ
１０  静電容量検出部
１１  検知電極
１２  グランド電極
１３  粗面
１４  溝
１５  包囲部
１６  到達部
１７  制御部
１８  再生部
【図１】
2014160542.tif 000003
【図２】
2014160542.tif 000004
【図３】
2014160542.tif 000005
【図４】
2014160542.tif 000006
【図５】
2014160542.tif 000007
【図６】
2014160542.tif 000008